(57)【要約】【課題】スクリーン・ケージに発生する応力を低減させた、スクリーン・ケージ（１１）及びロータを有するスクリーン・ハウジング（１０）からなるリグノセルロース含有繊維材料を選別するための加圧スクリーン装置を提供する。【解決手段】スクリーン・ケージ（１１）の両端はスクリーン・ハウジング（１０）内の第１及び第２の取付部材（１７、１８）に夫々配置されている。スクリーン・ケージ（１１）の両端は取付部材（１７、１８）に半径方向クリアランスを設けて取り付けられ、取付部材（１７、１８）のうちの少なくとも一つに軸支持部材（２１）が取り付けられている。【選択図】　　　図３
2004003106.tif 000002
【特許請求の範囲】
【請求項１】
スクリーン・ケージ（１１）及びロータを有するスクリーン・ハウジング（１０）からなり、スクリーン・ケージ（１１）の両端がスクリーン・ハウジング（１０）内の第１及び第２の取付部材（１７、１８）に夫々配置され、スクリーン・ケージ（１１）の両端が取付部材（１７、１８）に径方向クリアランスを設けて取り付けられ、取付部材（１７、１８）のうちの少なくとも一つに軸支持部材（２１）が取り付けられていることを特徴とするリグノセルロース含有繊維材料を選別するための加圧スクリーン装置。
【請求項２】
取付部材（１７、１８）のうちの少なくとも一つとスクリーン・ケージ（１１）との間に回転防止部材（２２、２３）を備えており、スクリーン・ケージの回転を防止したことを特徴とする請求の範囲第１項に記載の加圧スクリーン装置。
【請求項３】
スクリーン・ケージ（１１）を多孔板又は溝付き板で形成したことを特徴とする請求の範囲第１項又は第２項に記載の加圧スクリーン装置。
【請求項４】
スクリーン・ケージ（１１）をロッドで形成し、ロッド全周に延びている支持条片（１６）で結合したことを特徴とする請求の範囲第１項又は第２項に記載の加圧スクリーン装置。
【請求項５】
スクリーン・ケージ（１１）の両端と第１及び第２の取付部材（１７、１８）との間に夫々セパレート・シール（１９）を設けたことを特徴とする前記請求の範囲のいずれか一項に記載の加圧スクリーン装置。
【請求項６】
セパレート・シール（１９）がスクリーン・ケージ（１１）の各端において全面に広がっている溝（２０）内に入れてあることを特徴とする請求の範囲第５項に記載の加圧スクリーンの構成。
【発明の詳細な説明】
【０００１】
【発明の属する技術分野】
本発明は、パルプ懸濁液状のリグノセルロース含有繊維材料を選別するための加圧スクリーン装置に関する。
【０００２】
【従来の技術】
加圧スクリーンは通常次の三つの主要部分から構成される。すなわち、スクリーン・ハウジング、スクリーン・ケージ、及びロータから構成される。スクリーン・ケージは、粗い材料に対する障壁の役目をすると共に繊維をスクリーン・アパーチャを介して通過させる目的を有している。スクリーン・ケージは、例えば、表面が滑らかな若しくは波形の多孔板又は溝付板で構成することができる。あるいは、スクリーン・ケージを離隔したロッドで形成し、これらのロッド間を繊維は通過できるが、不純物は通過できないようにすることができる。もちろん、選別効果を得るために最も重要なのは短絡の防止、すなわち、未選別材料と選別済み材料が混合しないようにすることである。
【０００３】
スクリーン・ケージをスクリーン・ハウジング内に取り付ける従来の方法は、スクリーン・ケージの端部にリングを形成することである。リングは表面が円錐形であり、スクリーン・ハウジング内のフランジの対応する円錐シートに嵌合する。これらの円錐面は、軸方向のプレストレスと共同して、半径方向運動（並進）及び接線方向角運動（回転）に関してスクリーン・ケージの端部を大幅に制限する。
【０００４】
【発明が解決しようとする課題】
スクリーン・ケージの閉塞を防ぐには、ロータを使用して吸込みパルス及び圧力パルスを発生させる。これらのパルスはスクリーン・ケージの周囲に沿って半径方向を向いた力を付与する。これらの力はスクリーン・ケージの胴体表面における静定径方向移動を生起する。しかしながら、前記のプレストレスのために、スクリーン・ケージの端部をこのように移動させることは不可能である。設計上、かわりに端部の形状を円錐シートに嵌合した円錐リングによって決定される形状になるようにしてある。この端部の変形により材料に応力が生じる。これらの応力は本来二次的なものであるが、負荷の動特性のためにスクリーン・ケージの耐用年数上非常に重要なものである。これらの力の大きさは、例えば、ロータの設計、繊維材料の粘稠度等の様々な要因によって異なる。
【０００５】
【課題を解決するための手段】
本発明は前記の問題の解決法を提供するものである。本発明によれば、スクリーン・ケージの端部の応力は、スクリーン・ケージとスクリーン・ハウジングの取付部材との間に径方向クリアランスを設けることによって除去される。これによりスクリーン・ケージの端部が自由に運動することが可能になる。本発明の顕著な特徴は末尾の特許請求の範囲から明らかである。
【０００６】
【発明の実施の形態】
本発明の実施例を示す添付図を参照して、本発明を以下で説明する。
【０００７】
第１図に示す加圧スクリーンの配置は、スクリーン・ケージ１１を有する垂直なスクリーン・ハウジング１０から構成される。ハウジング１０には、パルプ懸濁液用の入口１２、通過物、すなわち、スクリーン・ケージのアパーチャを通過した繊維を含むパルプ用の出口１３、及び不通過物すなわち、スクリーン・ケージのアパーチャを通過していない粗い材料用の出口１４が接続されている。スクリーン・ハウジング１０内には、スクリーン・ケージ１１の内側にロータ（図示せず）があり、選別のためにパルプ懸濁液に必要な吸込みパルス及び圧力パルスを発生させる。ロータは、吸込みパルス及び圧力パルスによって生じる径方向に向いた回転力が径方向で相互につり合うように設計されている。このことは、スクリーン・ケージが半径方向の力に対して自己支持型であることを意味している。
【０００８】
図示の加圧スクリーンには、入口１２に結合されたスクリーン・ハウジング１０の上部に目の粗いスクリーン・プレート　　１５が設けられている。この目の粗いスクリーン・プレート　　１５にはスクリーン・ハウジングの入口におけるスクラップ等を分離する目的がある。
【０００９】
図示のスクリーン・ケージはロッドで構成されており、ケージの外側には全周に延びている多数の支持ストリップ１６が設けられている。スクリーン・ハウジング１０にはスクリーン・ケージ１１のための第１の取付部材と夫々の第２の取付部材１７、１８が設けられている。これらの取付部材はフランジにより形成されており、これらは又、通過物部分とスクリーン・ハウジングのパルプ入口部分（インジェクト部分）、及び不通過物部分と通過物部分の夫々を画定している。取付部材１７、１８にスクリーン・ケージ１１の端を取り付けるのには、スクリーン・ケージを保持するためと、未選別材料（インジェクト及び不通過物）と選別材料（通過物）との間の短絡を防止するための両方の目的がある。
【００１０】
取付部材１７、１８にスクリーン・ケージ１１を取り付ける場合、スクリーン・ケージの両端が半径方向クリアランスを設けて取付部材１７、１８に嵌合するように形成する。スクリーン・ケージと取付部材との間にできる隙間には、全周に延びているセパレート・シール１９を設けるのが好ましい。このシールはスクリーン・ケージ１１の各端の溝２０内に入れることができる。
【００１１】
径方向クリアランスは、選別プロセス中に生じる脈動力が原因で生じる変形を防止するために適切に画定され、十分な大きさを有するものとする。しかしながら、クリアランスは十分なシーリングを維持できる大きさ以下とする。
【００１２】
スクリーン・ケージ１１は自己支持型であるので、軸方向の固着のみ必要であり、固着は第２の取付部材１８の軸支持部材２１によって行う。垂直スクリーンの場合は、この第２の取付部材１８をもっと低くしなければならない。スクリーン・ケージ１１の回転を防止するために、いくつかの回転防止部材２２、２３（例えば、ラジアル・ピン）が取付部材１７、１８とスクリーン・ケージ１１の端との間に入っている。
【００１３】
このような構成により、スクリーン・ケージ１１の応力レベルを下げることができ、従って、これにより材料を削減することができる。あるいは、負荷がより大きくなる可能性を利用してスクリーンの容量を増加させることができる。寸法決め応力状態は静定接線方向応力のみからなる。その上、これらの応力をより安全な方法で予め決定することができる。
【００１４】
もちろん、本発明は図示の実施例に限定されるものではなく、本発明の概念の範囲内で変更可能である。
【図面の簡単な説明】
【図１】本発明による加圧スクリーンの断面図である。
【図２】スクリーン・ケージの上部及び夫々の下部取付部を大縮尺で示した図である。
【図３】本発明による取付け原理の概略図である。
【図４】回転力による動作中のスクリーン・ケージの変形の概略図である。
【図１】
2004003106.tif 000003
【図２】
2004003106.tif 000004
【図３】
2004003106.tif 000005
【図４】
2004003106.tif 000006
【手続補正書】
【提出日】平成15年7月17日(2003.7.17)
【手続補正１】
【補正対象書類名】明細書
【補正対象項目名】特許請求の範囲
【補正方法】変更
【補正の内容】
【特許請求の範囲】
【請求項１】
スクリーン・ケージ（１１）及びロータを有するスクリーン・ハウジング（１０）を含む、リグノセルロース含有繊維材料を選別する加圧スクリーン装置であり、
スクリーン・ケージ（１１）の両端が、スクリーン・ハウジング（１０）内の第１及び第２の取付部材（１７、１８）に夫々配置される加圧スクリーン装置であって、
スクリーン・ケージ（１１）の両端が、取付部材（１７、１８）に径方向クリアランスを設けて取り付けられ、
取付部材（１７、１８）のうちの少なくとも一つに、軸支持部材（２１）が備えられていることを特徴とする加圧スクリーン装置。
【手続補正２】
【補正対象書類名】明細書
【補正対象項目名】０００５
【補正方法】変更
【補正の内容】
【０００５】
【課題を解決するための手段】
本発明は前記の問題の解決法を提供するものである。本発明によれば、スクリーン・ケージの端部の応力は、スクリーン・ケージとスクリーン・ハウジングの取付部材との間に径方向クリアランスを設けることによって除去される。これによりスクリーン・ケージの端部が自由に運動することが可能になる。本発明の顕著な特徴は末尾の特許請求の範囲から明らかである。
本発明は、スクリーン・ケージ（１１）及びロータを有するスクリーン・ハウジング（１０）を含む、リグノセルロース含有繊維材料を選別する加圧スクリーン装置であり、スクリーン・ケージ（１１）の両端が、スクリーン・ハウジング（１０）内の第１及び第２の取付部材（１７、１８）に夫々配置される加圧スクリーン装置であって、スクリーン・ケージ（１１）の両端が、取付部材（１７、１８）に径方向クリアランスを設けて取り付けられ、取付部材（１７、１８）のうちの少なくとも一つに、軸支持部材（２１）が備えられていることを特徴とする加圧スクリーン装置に関する。
また、本発明において、好ましくは、スクリーン・ケージの回転を防止するように、取付部材（１７、１８）のうちの少なくとも一つとスクリーン・ケージ（１１）との間に、回転防止部材（２２、２３）を備える。
また、本発明において、好ましくは、スクリーン・ケージ（１１）を、多孔板又は溝付き板で形成する。
また、本発明において、好ましくは、スクリーン・ケージ（１１）を、全周に延びている支持条片（１６）が結合されたロッドで形成する。
また、本発明において、好ましくは、スクリーン・ケージ（１１）の両端と第１及び第２の取付部材（１７、１８）との間に、夫々セパレート・シール（１９）を設ける。
また、本発明において、好ましくは、セパレート・シール（１９）が、スクリーン・ケージ（１１）の各端において全面に広がっている溝（２０）内に入れてある。